(57)【特許請求の範囲】
【請求項１】
筺体内部に設けられて消火ノズルの先端側を上方に向けて着脱可能に保持するノズルキャッチと、該ノズルキャッチに前記消火ノズルを保持した状態で、該消火ノズルの先端面を覆うノズルカバーを備えた消火栓装置であって、
前記ノズルキャッチは、前記筺体内部の取付面に回動可能に取り付けられた回動片部と、該回動片部から横方向に延出するように形成されて前記消火ノズルを保持する保持片とを有し、
前記ノズルカバーは前記取付面に着脱可能に設けられ、該ノズルカバーを前記取付面に取り付けた状態で前記ノズルキャッチに当接して、該ノズルキャッチの姿勢を前記消火ノズルを保持可能な姿勢に保持する姿勢保持部とを有することを特徴とする消火栓装置。
【請求項２】
前記ノズルカバーは、縦方向に延出する縦壁部と、該縦壁部から横方向に延出するカバー体とを有し、該縦壁部の下部が前記姿勢保持部を構成していることを特徴とする請求項１記載の消火栓装置。
【請求項３】
前記ノズルカバーは、縦方向に延出する縦壁部と、該縦壁部から横方向に延出するカバー体とを有し、前記縦壁部の上端をスライド可能に支持するスライドガイドが前記取付面に設けられていることを特徴とする請求項１又は２に記載の消火栓装置。
【請求項４】
縦壁部の下端部に設けられて、前記縦壁部をスライドさせたときに前記ノズルキャッチに当接して前記ノズルキャッチの回動をガイドする回動ガイド部が設けられていることを特徴とする請求項３記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、扉開放時においても扉が車両の通行の邪魔にならないようにするために、扉が前方に回動するのではなく、下方にスライドして下降する下降扉を備えたものが知られている（特許文献１参照）。
【０００３】
消火栓装置内には、巻き回されたホースの先端に消火ノズルが取り付けられているが、消火ノズルは使用時に取り外し易いようにノズルキャッチという部材に着脱可能に保持されている。
扉が前方に回動する場合には、ノズルキャッチが扉の背面側に取り付けられる場合もあるが、特許文献１に開示された消火栓装置のように下降扉の場合にはノズルキャッチを扉に設けることができない。
この場合、ノズルキャッチを本体側に設け、取り出しを容易にするため消火ノズルの先端を上方に向けた状態でノズルキャッチに保持される。
【０００４】
消火ノズルの先端は開口しているため、この開口が上を向いた状態で保持されていると粉塵が消火ノズルに浸入する。そこで、これを防止するために、消火ノズルの上端の開口を覆うカバー体を設けることが行われている。
特に、泡消火栓の場合には、粉塵が泡消火薬剤の発泡に悪影響を与えるためカバー体を設けることが好ましいとされている。
【先行技術文献】
【特許文献】
【０００５】
【特許文献１】特開２００６−１８１０５７号公報
【発明の概要】
【発明が解決しようとする課題】
【０００６】
発明が解決しようとする課題を説明する前に、本発明の特徴であるノズルカバーが設置される消火栓装置の構成を概説する。
消火栓装置１００は、図７〜図９に示すように、箱状の筺体３と、筺体３の前面に設けられた開口部５ａを有する前面パネル５と、前面パネル５の開口部５ａに開閉可能に設けられた下降式扉７とを備えている。
【０００７】
筺体３内には、図７〜図９に示すように、内巻きに巻き回されたホース８を収納するホース収納部９が設けられている。また、筺体３内には、ホース収納部９の右側に、消火栓弁や自動調圧弁を有する配管系統１１が設けられている。配管系統１１は、先端側がホース８の基端側と接続されるとともに、基端側が図示しない給水源に接続されている。
【０００８】
ホース収納部９は、本体３の内壁上面から内壁下面に至る２本の棒状体１３と、棒状体１３から本体３の内壁背面に至る略Ｌ字状に屈曲した２枚の帯板１５とを備えて構成されている。そして、２本の棒状体１３の間からホース８が引き出される。
前面パネル５は、筺体３の前面に設けられ、ホース８が引き出される前方の部位に開口部５ａが形成され、この開口部５ａを閉鎖可能に下降式扉７が取り付けられている。
【０００９】
ホース８の先端部には消火ノズル１６が取り付けられ、収納状態では、図７、図８に示すように、筺体３の内部に固定されたノズルキャッチ１０３によって消火ノズル１６は先端を上方に向けて着脱可能に保持されている。
下降式扉７は図１０（ｂ）に示すように、前面パネル５に沿って下方に移動し、下降式扉７を開放した状態では図１０（ａ）に示すように、ノズルキャッチ１０３に保持されている消火ノズル１６が取り外し可能な状態で見えるようになっている。
また、ノズルキャッチ１０３に保持された消火ノズル１６のすぐ上方には、ホース８に注水することなく消火栓の放水圧力の確認試験ができるようにするためのメンテナンス弁１９が設けられている。
【００１０】
上記のように構成された消火栓装置１００において、例えば、図１１に示すように、消火ノズル１６をノズルキャッチ１０３に保持させた状態で、消火ノズル１６の上端面を覆うノズルカバー１０１を筺体３の内部に取り付けたとする。
この場合、メンテナンス弁１９に試験用ホース２１を取り付ける際に、ノズルカバー１０１が邪魔になってメンテナンス弁１９に試験用ホース２１が取り付かず、メンテナンス弁１９を使用できないことになる。特に、筺体３の薄型化が行われると、筺体３内のスペースが小さくなるためこの傾向が大きい。
【００１１】
このような状態を回避するため、ノズルカバー１０１を筺体３の内部において着脱可能に取り付け、メンテナンス弁１９の使用時には図１２に示すように、ノズルカバー１０１を取り外すようにすることが考えられる。（消火ノズル１６は、試験用ホース２１の先端に取り付けて試験を行う。）ところが、ノズルカバー１０１を取り外してメンテナンス弁１９による試験を行った後、消火ノズル１６を再度ノズルキャッチ１０３に保持させる際に、ノズルカバー１０１を取り付けるのを忘れるという事態が起こり得る。
ノズルカバー１０１を取り付けることを忘れると、前述したように、消火ノズル１６に粉塵等が堆積して消火活動に支障をきたすことが考えられる。
【００１２】
本発明はかかる課題を解決するためになされたものであり、メンテナンス弁の使用時等には邪魔にならず、かつ消火ノズルをノズルキャッチに保持させる際にはノズルカバーによって消火ノズルの上端面を覆うことを忘れることがないノズルカバーを備えた消火栓装置を提供することを目的としている。
【課題を解決するための手段】
【００１３】
（１）本発明に係る消火栓装置は、筺体内部に設けられて消火ノズルの先端側を上方に向けて着脱可能に保持するノズルキャッチと、該ノズルキャッチに前記消火ノズルを保持した状態で、該消火ノズルの先端面を覆うノズルカバーを備えた消火栓装置であって、前記ノズルキャッチは、前記筺体内部の取付面に回動可能に取り付けられた回動片部と、該回動片部から横方向に延出するように形成されて前記消火ノズルを保持する保持片とを有し、前記ノズルカバーは前記取付面に着脱可能に設けられ、該ノズルカバーを前記取付面に取り付けた状態で前記ノズルキャッチに当接して、該ノズルキャッチの姿勢を前記消火ノズルを保持可能な姿勢に保持する姿勢保持部とを有することを特徴とするものである。
【００１４】
（２）また、上記（１）に記載のものにおいて、前記ノズルカバーは、縦方向に延出する縦壁部と、該縦壁部から横方向に延出するカバー体とを有し、該縦壁部の下部が前記姿勢保持部を構成していることを特徴とするものである。
【００１５】
（３）また、上記（１）又は（２）に記載のものにおいて、前記ノズルカバーは、縦方向に延出する縦壁部と、該縦壁部から横方向に延出するカバー体とを有し、前記縦壁部の上端をスライド可能に支持するスライドガイドが前記取付面に設けられていることを特徴とするものである。
【００１６】
（４）また、上記（３）に記載のものにおいて、縦壁部の下端部に設けられて、前記縦壁部をスライドさせたときに前記ノズルキャッチに当接して前記ノズルキャッチの回動をガイドする回動ガイド部が設けられていることを特徴とするものである。
【発明の効果】
【００１７】
本発明においては、前記ノズルキャッチは、前記筺体内部の取付面に回動可能に取り付けられた回動片部と、該回動片部から横方向に延出するように形成されて前記消火ノズルに係止して該消火ノズルを保持する保持片とを有し、前記ノズルカバーは前記取付面に着脱可能に設けられ、該ノズルカバーを前記取付面に取り付けた状態で前記ノズルキャッチに当接して、該ノズルキャッチの姿勢を前記消火ノズルを保持可能な姿勢に保持する姿勢保持部とを有することにより、メンテナンス弁の使用時等には前記ノズルカバーを取り外すことで邪魔にならず、かつ消火ノズルをノズルキャッチに保持させる際にはノズルキャッチをノズルカバーによって姿勢保持させる必要があることから、ノズルカバーによって消火ノズルの上端面を覆うことを忘れない。
【図面の簡単な説明】
【００１８】
【図１】本発明の実施の形態１に係る消火栓装置の一部を拡大して示す図である。
【図２】図１に示した消火栓装置に用いるノズルキャッチの斜視図である。
【図３】図１に示した消火栓装置に用いるノズルカバーの側面図（図３（ａ））及び正面図（図３（ｂ））である。
【図４】本発明の実施の形態１に係る消火栓装置であって、消火ノズルを取り外した状態を示す図である。
【図５】本発明の実施の形態１に係る消火栓装置であって、ノズルカバーを取り外した状態を説明する説明図である。
【図６】本発明の実施の形態１に係る消火栓装置であって、ノズルカバーを取り付ける際のノズルキャッチの動作を説明する図である。
【図７】本発明が解決しようとする課題を説明するための図であって、本発明のノズルカバーが取り付けられる消火栓装置の正面図である。
【図８】本発明が解決しようとする課題を説明するための図であって、本発明のノズルカバーが取り付けられる消火栓装置の側面図である。
【図９】本発明が解決しようとする課題を説明するための図であって、本発明のノズルカバーが取り付けられる消火栓装置の平面図である。
【図１０】図７の一部を拡大して示す図（図１０（ａ））と、下降式扉の動作説明図（図１０（ｂ））である。
【図１１】本発明が解決しようとする課題を説明するための図であって、保持状態の消火ノズルとメンテナンス弁との配置関係を説明する図である。
【図１２】本発明が解決しようとする課題を説明するための図であって、メンテナンス弁の使用状態を説明する図である。
【発明を実施するための形態】
【００１９】
［実施の形態１］
本実施の形態に係る消火栓装置１の基本構造は、図７〜図９に示したものと同様なので、以下においては本発明の特徴部分について、図１〜図６に基づいて説明する。なお、図１〜図６において、図７〜図９に示したものと同一部分には同一の符号を付してある。
【００２０】
本実施の形態に係る消火栓装置１は、筺体３内部の取付面２０に設けられて消火ノズル１６の先端側を上方に向けて着脱可能に保持するノズルキャッチ１７と、ノズルキャッチ１７に消火ノズル１６を保持した状態で、消火ノズル１６の先端面を覆うノズルカバー２３とを備えている。
【００２１】
＜ノズルキャッチ＞
ノズルキャッチ１７は、ホース８の収納時において、ホース８の先端に設けられた消火ノズル１６を保持するものであり、図２に示すように、筺体３内部の取付面２０に回動可能に取り付けられる回動片部２５と、回動片部２５から横方向に延出して消火ノズル１６を保持する保持片２７とを有している。回動片部２５は、図２に示すように、矩形状をしており、偏芯した位置、具体的には回動片部２５の図中右角近くに回動軸２９が設けられ、回動軸２９を中心として回動可能に取付面２０に取り付けられる。したがって、ノズルキャッチ１７は、ノズルカバー２３によって姿勢保持されないフリーな状態では、図５に示すように、回動軸２９が設けられた側が上になるように回動する。
保持片２７は、全体の形状がＣ形状を有するように形成されており、Ｃ形状の開口部に消火ノズル１６を挿入して保持する。
【００２２】
＜ノズルカバー＞
ノズルカバー２３は、図３に示すように、縦方向に延出する縦壁部３０と、縦壁部３０の上部から横方向に延出する矩形状のカバー体３１と、縦壁部３０の下部に設けられてノズルキャッチ１７の回動をガイドする回動ガイド部３３とを備えている。
回動ガイド部３３は、図３に示すように、略矩形状をしており、その片側に上方に傾斜する傾斜面部３５を有している。
【００２３】
ノズルカバー２３は、縦壁部３０の背面側を取付面２０に当接した状態で取付面２０に取り付けられるが、その取付方法について説明する。なお、以下の説明で方向を示す文言としての「手前側」とは消火栓装置１の正面側を意味しており、また「奥側」とは背面側を意味している。
【００２４】
取付面２０には、筺体３の手前側から奥側に向かって延びるスライドガイド３７が設けられており（図４、図５参照）、縦壁部３０の上端辺をスライドガイド３７の下面に当接させて支持し、回動ガイド部３３の下辺を水平状態のノズルキャッチ１７の保持片２７の基部に当接させることで、縦壁部３０及び回動ガイド部３３をスライドガイド３７と保持片２７で上下から挟持するようにして、ノズルカバー２３が取付面２０に取り付けられる。このとき、ノズルキャッチ１７は回動ガイド部３３に当接することで姿勢が保持されるので、回動ガイド部３３が本発明の姿勢保持手段を構成している。
なお、本発明のスライドガイドの構成としては、上記のものに限られず、例えば縦壁部３０の上端が挿入されて支持されながらスライドするスライド溝を有するものを含み、該スライド溝はスライドガイドに形成されていてもよいし、あるいは取付面２０との間に隙間を形成する部材を設けることで当該隙間によってスライド溝を構成するようにしてもよい。
【００２５】
上記のように構成された本実施の形態の消火栓装置１においては、消火ノズル１６をノズルキャッチ１７に保持させた状態では、図１に示すように、ノズルカバー２３のカバー体３１の下面が消火ノズル１６の上端面を覆う。これによって、消火ノズル１６に粉塵が堆積するのを防止できる。
【００２６】
消火ノズル１６をノズルキャッチ１７から外した状態では、図４に示すように、ノズルキャッチ１７及びノズルカバー２３はそのままの状態を保持している。
この状態では、メンテナンス弁１９の下方にカバー体３１が配置されているため、メンテナンス弁１９に試験用ホース２１を取り付けて使用することができない場合がある。その場合には、ノズルカバー２３を手前側に引き出すようにして取り外す。
ノズルカバー２３を取り外すことで、図５に示すように、メンテナンス弁１９の下方には空間が形成され、図１２に示すとおり、メンテナンス弁１９に試験用ホース２１および消火ノズル１６を取り付けて使用することが可能になる。また、ノズルキャッチ１７は姿勢を保持するものがなくなることで、自重によって回転して、図５に示すように、保持片２７が縦向きの状態になる。
【００２７】
メンテナンス弁１９の使用が終わり、消火ノズル１６をノズルキャッチ１７に保持させるには、ノズルキャッチ１７の姿勢を元に戻す必要がある。このため、図６に示すように、ノズルカバー２３を縦壁部３０の上端面をスライドガイド３７の下面に沿わすようにして、手前側から奥側に向かって押し込む。このとき、回動ガイド部３３の傾斜面部３５がノズルキャッチ１７の保持片２７の基部（保持片２７における回動片部２５に近い部位）に当接し、この状態でさらに押し込むと、ノズルキャッチ１７が回動して図２に示すような姿勢になると共に、ノズルカバー２３は、縦壁部３０の上端と回動片部２５の下端がスライドガイド３７とノズルキャッチ１７に挟持されるようにして取付面２０に取り付けられる。
【００２８】
このように、ノズルキャッチ１７の姿勢を元の状態に戻して消火ノズル１６を保持させるには、ノズルカバー２３を取り付けなければならず、それ故に、ノズルカバー２３を取り付けることを忘れることがない。
【００２９】
以上のように、本実施の形態によれば、消火ノズル１６の上端面を覆うノズルカバー２３を取り付けることを忘れず、かつノズルカバー２３が着脱可能になっているので、メンテナンス弁１９の使用には障害となることがない。
また、本実施の形態では、ノズルカバー２３をスライドガイド３７に沿わせて手前側から奥側に向かって押し込むようにすればよいだけであり、ノズルカバー２３の取付の操作性に優れる。
【００３０】
さらに、本実施の形態では、ノズルカバー２３の下部（回動ガイド部３３）をノズルキャッチ１７によって保持するようにしているので、部品点数が少なく、シンプルな構造になっている。
もっとも、ノズルカバー２３の下部を取付面２０に設けた別部材で保持させ、その状態でノズルキャッチ１７に係止してノズルキャッチ１７の姿勢保持する係止部材をノズルカバー２３に設けるようにしてもよい。
【００３１】
また、上記の説明では、ノズルカバー２３に回動ガイド部３３を設け、取付面２０にスライドガイド３７を設けた例を示したが、本発明においてはこれらは必須ではない。
ノズルカバー２３の縦壁部３０の上辺を保持するものは、スライドガイド３７のようなレール状のもので有る必要はなく、単なる突起を２箇所設けるような態様でもよい。
【００３２】
なお、上記の説明では消火栓装置１における前面パネル５に開口部５ａに開閉可能に取り付けられる扉体について下降式扉７を例示しているが、本発明の消火栓装置１において扉体の形式は特に限定されることはない。
【符号の説明】
【００３３】
１  消火栓装置
３  筺体
５  前面パネル
５ａ  開口部
７  下降式扉
８  ホース
９  ホース収納部
１１  配管系統
１３  棒状体
１５  帯板
１６  消火ノズル
１７  ノズルキャッチ
１９  メンテナンス弁
２１  試験用ホース
２０  取付面
２３  ノズルカバー
２５  回動片部
２７  保持片
２９  回動軸
３０  縦壁部
３１  カバー体
３３  回動ガイド部
３５  傾斜面部
３７  スライドガイド
１００  消火栓装置（従来例）
１０１  ノズルカバー（仮想例）
１０３  ノズルキャッチ（従来例）
【図１】
0006568793.tif 000002
【図２】
0006568793.tif 000003
【図３】
0006568793.tif 000004
【図４】
0006568793.tif 000005
【図５】
0006568793.tif 000006
【図６】
0006568793.tif 000007
【図７】
0006568793.tif 000008
【図８】
0006568793.tif 000009
【図９】
0006568793.tif 000010
【図１０】
0006568793.tif 000011
【図１１】
0006568793.tif 000012
【図１２】
0006568793.tif 000013